(57)【要約】【課題】ズームレンズの全長を小さくでき、変倍動作における撮像装置全体の重量バランスの変動も抑えやすいズームレンズを提供する。【解決手段】物体側から像側に順に、正屈折力の第１レンズ群と、負屈折力の第２レンズ群と、正屈折力の第３レンズ群と、負屈折力の第４レンズ群とを有し、広角端から望遠端への変倍の際に、第１レンズ群と第２レンズ群との間、第２レンズ群と第３レンズ群との間、第３レンズ群と第４レンズ群との間の各々の距離は変化し、第１レンズ群は広角端よりも望遠端にて物体側に位置し、第１レンズ群は、負レンズと正レンズの２枚のレンズからなり、第１レンズ群は、光路中に少なくとも１面の非球面を有し、以下の条件式（１）を満足する。  ０．５＜（ＬTLt／βrear）／ＦLG1＜１．０      （１）【選択図】図１
2014095754.tif 000002
【特許請求の範囲】
【請求項１】
物体側から像側に順に、
正屈折力の第１レンズ群と、
負屈折力の第２レンズ群と、
正屈折力の第３レンズ群と、
負屈折力の第４レンズ群とを有し、
広角端から望遠端への変倍の際に、前記第１レンズ群と前記第２レンズ群との間、前記第２レンズ群と前記第３レンズ群との間、前記第３レンズ群と前記第４レンズ群との間の各々の距離は変化し、
前記第１レンズ群は広角端よりも望遠端にて物体側に位置し、
前記第１レンズ群は、負レンズと正レンズの２枚のレンズからなり、
前記第１レンズ群は、光路中に少なくとも１面の非球面を有し、
以下の条件式（１）を満足することを特徴とするズームレンズ。
０．５＜（ＬTLt／βrear）／ＦLG1＜１．０      （１）
ここで、
ＬTLtは、望遠端における前記ズームレンズの最も物体側の屈折面から像面までの光軸上での長さ、
βrearは、望遠端における、前記第２レンズ群から像面までの合成光学系の横倍率の絶対値、
ＦLG1は、前記第１レンズ群の焦点距離
である。
【請求項２】
前記第４レンズ群の像側に正屈折力の第５レンズ群を有し、
広角端から望遠端への変倍の際に、前記第４レンズ群と前記第５レンズ群との間の距離は変化し、
前記ズームレンズは５群ズームレンズであることを特徴とする請求項１に記載のズームレンズ。
【請求項３】
前記第１レンズ群が以下の条件式（２）を満足することを特徴とする請求項２に記載のズームレンズ。
０．３＜ＦLG1／ＦLt＜０．５７      （２）
ここで、
ＦLG1は、前記第１レンズ群の焦点距離、
ＦLtは、望遠端でのズームレンズ全系の焦点距離
である。
【請求項４】
前記第１レンズ群が以下の条件式（３）を満足することを特徴とする請求項３に記載のズームレンズ。
０．００４＜ＦLG1／(ＦLt×｜νG1p−νG1n｜)＜０．０２０      （３）
ここで、
ＦLG1は、前記第１レンズ群の焦点距離、
ＦLtは、望遠端でのズームレンズ全系の焦点距離、
νG1pは、前記第１レンズ群中の前記正レンズのアッベ数、
νG1nは、前記第１レンズ群中の前記負レンズのアッベ数、
νG1p＝（ｎdp−１）／（ｎFp−ｎCp）、
ｎdpは前記第１レンズ群中の前記正レンズのｄ線における屈折率、
ｎCpは前記第１レンズ群中の前記正レンズのＣ線における屈折率、
ｎFpは前記第１レンズ群中の前記正レンズのＦ線における屈折率、
νG1n＝（ｎdn−１）／（ｎFn−ｎCn）、
ｎdnは前記第１レンズ群中の前記負レンズのｄ線における屈折率、
ｎCnは前記第１レンズ群中の前記負レンズのＣ線における屈折率、
ｎFnは前記第１レンズ群中の前記負レンズのＦ線における屈折率
である。
【請求項５】
前記第１レンズ群が以下の条件式（４）を満足することを特徴とする請求項４に記載のズームレンズ。
２＜ＦLG1／（ＦLt×｜ＰG1p−ＰG1n｜）＜１０      （４）
ここで、
ＦLG1は、前記第１レンズ群の焦点距離、
ＦLtは、望遠端でのズームレンズ全系の焦点距離、
ＰG1p＝（ｎgp−ｎFp）／（ｎFp−ｎCp）、
ＰG1n＝（ｎgn−ｎFn）／（ｎFn−ｎCn）、
であり、
ｎgpは、前記第１レンズ群中の前記正レンズのｇ線における屈折率、
ｎFpは、前記第１レンズ群中の前記正レンズのＦ線における屈折率、
ｎCpは、前記第１レンズ群中の前記正レンズのＣ線における屈折率、
ｎgnは、前記第１レンズ群中の前記負レンズのｇ線における屈折率、
ｎFnは、前記第１レンズ群中の前記負レンズのＦ線における屈折率、
ｎCnは、前記第１レンズ群中の前記負レンズのＣ線における屈折率
である。
【請求項６】
前記第１レンズ群が以下の条件式（５）を満足することを特徴とする請求項５に記載のズームレンズ。
０．０５＜（ＬTLt−ＬTLw）／ＦLt＜０．３０      （５）
ここで、
ＬTLwは、広角端における前記ズームレンズの最も物体側の屈折面から像面までの光軸上での長さ、
ＬTLtは、望遠端における前記ズームレンズの最も物体側の屈折面から像面までの光軸上での長さ、
ＦLtは、望遠端でのズームレンズ全系の焦点距離
である。
【請求項７】
物体側から像側に順に、
正屈折力の第１レンズ群と、
負屈折力の第２レンズ群と、
正屈折力の第３レンズ群と、
負屈折力の第４レンズ群とを有し、
広角端から望遠端への変倍の際に、前記第１レンズ群と前記第２レンズ群との間、前記第２レンズ群と前記第３レンズ群との間、前記第３レンズ群と前記第４レンズ群との間の各々の距離は変化し、
前記第１レンズ群は広角端よりも望遠端にて物体側に位置し、
前記第１レンズ群は、負レンズと正レンズの２枚のレンズからなり、
前記第１レンズ群は、光路中に少なくとも１面の非球面を有し、
前記第１レンズ群が以下の条件式（２）を満足することを特徴とするズームレンズ。
０．３＜ＦLG1／ＦLt＜０．５７      （２）
ここで、
ＦLG1は、前記第１レンズ群の焦点距離、
ＦLtは、望遠端でのズームレンズ全系の焦点距離
である。
【請求項８】
前記第１レンズ群が以下の条件式（３）を満足することを特徴とする請求項７に記載のズームレンズ。
０．００４＜ＦLG1／(ＦLt×｜νG1p−νG1n｜)＜０．０２０      （３）
ここで、
ＦLG1は、前記第1レンス゛群の焦点距離、
ＦLtは、望遠端でのズームレンズ全系の焦点距離、
νG1pは、前記第１レンズ群中の前記正レンズのアッベ数、
νG1nは、前記第１レンズ群中の前記負レンズのアッベ数、
νG1p＝（ｎdp−１）／（ｎFp−ｎCp）、
ｎdpは前記第１レンズ群中の前記正レンズのｄ線における屈折率、
ｎCpは前記第１レンズ群中の前記正レンズのＣ線における屈折率、
ｎFpは前記第１レンズ群中の前記正レンズのＦ線における屈折率、
νG1n＝（ｎdn−１）／（ｎFn−ｎCn）、
ｎdnは前記第１レンズ群中の前記負レンズのｄ線における屈折率、
ｎCnは前記第１レンズ群中の前記負レンズのＣ線における屈折率、
ｎFnは前記第１レンズ群中の前記負レンズのＦ線における屈折率
である。
【請求項９】
前記第１レンズ群が以下の条件式（４）を満足することを特徴とする請求項１、２、３、４、７及び８のいずれか１項に記載のズームレンズ。
２＜ＦLG1／（ＦLt×｜ＰG1p−ＰG1n｜）＜１０      （４）
ここで、
ＦLG1は、前記第１レンズ群の焦点距離、
ＦLtは、望遠端でのズームレンズ全系の焦点距離、
ＰG1p＝（ｎgp−ｎFp）／（ｎFp−ｎCp）、
ＰG1n＝（ｎgn−ｎFn）／（ｎFn−ｎCn）、
であり、
ｎgpは、前記第１レンズ群中の前記正レンズのｇ線における屈折率、
ｎFpは、前記第１レンズ群中の前記正レンズのＦ線における屈折率、
ｎCpは、前記第１レンズ群中の前記正レンズのＣ線における屈折率、
ｎgnは、前記第１レンズ群中の前記負レンズのｇ線における屈折率、
ｎFnは、前記第１レンズ群中の前記負レンズのＦ線における屈折率、
ｎCnは、前記第１レンズ群中の前記負レンズのＣ線における屈折率
である。
【請求項１０】
前記第１レンズ群が以下の条件式（５）を満足することを特徴とする請求項１、２、３、４、７、８及び９のいずれか１項に記載のズームレンズ。
０．０５＜（ＬTLt−ＬTLw）／ＦLt＜０．３０      （５）
ここで、
ＬTLwは、広角端における前記ズームレンズの最も物体側の屈折面から像面までの光軸上での長さ、
ＬTLtは、望遠端における前記ズームレンズの最も物体側の屈折面から像面までの光軸上での長さ、
ＦLtは、望遠端でのズームレンズ全系の焦点距離
である。
【請求項１１】
前記第１レンズ群は、物体側から像側に順に前記負レンズ、前記正レンズからなり、
前記第１レンズ群中の前記負レンズと前記正レンズがそれぞれ単レンズであることを特徴とする請求項１から請求項１０のいずれか１項に記載のズームレンズ。
【請求項１２】
前記負レンズと前記正レンズとの間の距離は、光軸から離れるに従い大きくなることを特徴とする請求項１１に記載のズームレンズ。
【請求項１３】
前記第１レンズ群中の前記正レンズが前記非球面を有し、且つ、物体側面と像側面が共に非球面であることを特徴とする請求項１から請求項１２のいずれか１項に記載のズームレンズ。
【請求項１４】
前記第４レンズ群は、広角端よりも望遠端にて物体側に位置することを特徴とする請求項１から請求項１３のいずれか１項に記載のズームレンズ。
【請求項１５】
前記第４レンズ群の像側に正屈折力の第５レンズ群を有し、
前記第５レンズ群は広角端から望遠端への変倍の際に、先ず像側に移動し、且つ、前記第５レンズ群は広角端よりも望遠端にて像側に位置することを特徴とする請求項１から請求項１４のいずれか１項に記載のズームレンズ。
【請求項１６】
前記第５レンズ群は広角端から望遠端への変倍の際に像側にのみ移動することを特徴とする請求項１５に記載のズームレンズ。
【請求項１７】
前記第１レンズ群は広角端から望遠端への変倍の際に物体側にのみ移動することを特徴とする請求項１５又は請求項１６に記載のズームレンズ。
【請求項１８】
遠距離から近距離への合焦の際に、前記第４レンズ群が像側に移動することを特徴とする請求項１から請求項１７のいずれか１項に記載のズームレンズ。
【請求項１９】
前記第４レンズ群が単レンズであることを特徴とする請求項１８に記載のズームレンズ。
【請求項２０】
前記第２レンズ群は広角端よりも望遠端にて像側に位置し、
前記第３レンズ群は広角端よりも望遠端にて物体側に位置し、
前記第４レンズ群は広角端よりも望遠端にて前記第３レンズ群との距離を拡げ且つ前記第５レンズ群との距離を拡げるように物体側に位置し、
前記第５レンズ群は広角端よりも望遠端にて像側に位置することを特徴とする請求項１から請求項１９のいずれか１項に記載のズームレンズ。
【請求項２１】
以下の条件式（６）を満足することを特徴とする請求項１から請求項２０のいずれか１項に記載のズームレンズ。
１７＜ＦLt／ＦLw＜５０      （６）
ここで、
ＦLtは、望遠端でのズームレンズ全系の焦点距離、
ＦLwは、広角端でのズームレンズ全系の焦点距離
である。
【請求項２２】
ズームレンズと、
前記ズームレンズにより形成される像を電気信号に変換する撮像素子とを有し、
前記ズームレンズが請求項１から請求項２１のいずれか１項に記載のズームレンズであることを特徴とする撮像装置。
【請求項２３】
前記電気信号が入力され、前記撮像素子に形成された像の歪曲を補正した画像の信号に変換する信号変換部を有することを特徴とする請求項２２に記載の撮像装置。
【発明の詳細な説明】
【技術分野】
【０００１】
本発明は、ズームレンズ及びそれを用いた撮像装置に関するものである。
【背景技術】
【０００２】
従来より、高変倍比を持つズームレンズとして、特許文献１に開示されるズームレンズ及びそれを有する撮像装置が知られている。
【先行技術文献】
【特許文献】
【０００３】
【特許文献１】特開２０１２−０８３４７２号公報
【発明の概要】
【発明が解決しようとする課題】
【０００４】
しかしながら、高変倍比を持つズームレンズを持つ撮像装置は、ズームレンズの全長が長いと、撮像装置の取扱時等において装置の周囲の物品等にぶつけてしまいやすくなる。また、望遠端でのズームレンズ全長が長くなると、変倍動作による撮像装置全体の重量バランスの変動も大きくなりやすくなる。例えば、撮像装置を三脚等に固定したときの安定性を全変倍域にて良好とすることが難しくなる。
【０００５】
本発明は、上記に鑑みてなされたものであって、ズームレンズの全長を小さくでき、変倍動作における撮像装置全体の重量バランスの変動も抑えやすいズームレンズを提供することを目的とする。更には、本発明は、そのようなズームレンズを用いた撮像装置を提供することを目的とする。
【課題を解決するための手段】
【０００６】
上述した課題を解決し、目的を達成するために、本発明に係るズームレンズは、
物体側から像側に順に、
正屈折力の第１レンズ群と、
負屈折力の第２レンズ群と、
正屈折力の第３レンズ群と、
負屈折力の第４レンズ群とを有し、
広角端から望遠端への変倍の際に、第１レンズ群と第２レンズ群との間、第２レンズ群と第３レンズ群との間、第３レンズ群と第４レンズ群との間の各々の距離は変化し、
第１レンズ群は広角端よりも望遠端にて物体側に位置し、
第１レンズ群は、負レンズと正レンズの２枚のレンズからなり、
第１レンズ群は、光路中に少なくとも１面の非球面を有し、
以下の条件式（１）を満足することを特徴としている。
０．５＜（ＬTLt／βrear）／ＦLG1＜１．０      （１）
ここで、
ＬTLtは、望遠端におけるズームレンズの最も物体側の屈折面から像面までの光軸上での長さ、
βrearは、望遠端における、第２レンズ群から像面までの合成光学系の横倍率の絶対値、
ＦLG1は、第１レンズ群の焦点距離
である。
【０００７】
本発明の別の側面に係るズームレンズは、
物体側から像側に順に、
正屈折力の第１レンズ群と、
負屈折力の第２レンズ群と、
正屈折力の第３レンズ群と、
負屈折力の第４レンズ群とを有し、
広角端から望遠端への変倍の際に、第１レンズ群と第２レンズ群との間、第２レンズ群と第３レンズ群との間、第３レンズ群と第４レンズ群との間の各々の距離は変化し、
第１レンズ群は広角端よりも望遠端にて物体側に位置し、
第１レンズ群は、負レンズと正レンズの２枚のレンズからなり、
第１レンズ群は、光路中に少なくとも１面の非球面を有し、
第１レンズ群が以下の条件式（２）を満足することを特徴としている。
０．３＜ＦLG1／ＦLt＜０．５７      （２）
ここで、
ＦLG1は、第１レンズ群の焦点距離、
ＦLtは、望遠端でのズームレンズ全系の焦点距離
である。
【０００８】
本発明に係る撮像装置は、
ズームレンズと、
ズームレンズにより形成される像を電気信号に変換する撮像素子とを有し、
ズームレンズが上述のいずれかのズームレンズであることを特徴としている。
【発明の効果】
【０００９】
本発明にかかるズームレンズ及びそれを用いた撮像装置は、ズームレンズの全長を小さくでき、変倍動作における重量バランスの変動も抑えやすい、という効果を奏する。
【図面の簡単な説明】
【００１０】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の無限遠物点合焦時の広角端（ａ）、中間状態（ｂ）、望遠端（ｃ）でのレンズ断面図である。
【図３】本発明のズームレンズの実施例３の無限遠物点合焦時の広角端（ａ）、中間状態（ｂ）、望遠端（ｃ）でのレンズ断面図である。
【図４】本発明のズームレンズの実施例４の無限遠物点合焦時の広角端（ａ）、中間状態（ｂ）、望遠端（ｃ）でのレンズ断面図である。
【図５】本発明のズームレンズの実施例５の無限遠物点合焦時の広角端（ａ）、中間状態（ｂ）、望遠端（ｃ）でのレンズ断面図である。
【図６】本発明のズームレンズの実施例６の無限遠物点合焦時の広角端（ａ）、中間状態（ｂ）、望遠端（ｃ）でのレンズ断面図である。
【図７】本発明のズームレンズの実施例７の無限遠物点合焦時の広角端（ａ）、中間状態（ｂ）、望遠端（ｃ）でのレンズ断面図である。
【図８】本発明のズームレンズの実施例８の無限遠物点合焦時の広角端（ａ）、中間状態（ｂ）、望遠端（ｃ）でのレンズ断面図である。
【図９】実施例１の無限遠物点合焦時の収差図である。
【図１０】実施例２の無限遠物点合焦時の収差図である。
【図１１】実施例３の無限遠物点合焦時の収差図である。
【図１２】実施例４の無限遠物点合焦時の収差図である。
【図１３】実施例５の無限遠物点合焦時の収差図である。
【図１４】実施例６の無限遠物点合焦時の収差図である。
【図１５】実施例７の無限遠物点合焦時の収差図である。
【図１６】実施例８の無限遠物点合焦時の収差図である。
【図１７】本発明のズームレンズを用い、撮像素子として小型のＣＣＤ又はＣＭＯＳなどを用いた撮像装置としてのコンパクトカメラの断面図である。
【図１８】撮像装置としてのデジタルカメラの外観を示す前方斜視図である。
【図１９】撮像装置としてのデジタルカメラの外観を示す後方斜視図である。
【図２０】デジタルカメラの主要部の内部回路を示すブロック図である。
【発明を実施するための形態】
【００１１】
以下に、本発明にかかるズームレンズ及びそれを用いた撮像装置の実施形態を図面に基づいて詳細に説明する。なお、この実施形態によりこの発明が限定されるものではない。
まず、実施例の説明に先立ち、本実施形態のズームレンズの作用効果について説明する。
【００１２】
本発明の実施形態に係るズームレンズは、
物体側から像側に順に、
正屈折力の第１レンズ群と、
負屈折力の第２レンズ群と、
正屈折力の第３レンズ群と、
負屈折力の第４レンズ群とを有し、
広角端から望遠端への変倍の際に、第１レンズ群と第２レンズ群との間、第２レンズ群と第３レンズ群との間、第３レンズ群と第４レンズ群との間の各々の距離は変化し、
第１レンズ群は広角端よりも望遠端にて物体側に位置し、
第１レンズ群は、負レンズと正レンズの２枚のレンズからなり、
第１レンズ群は、光路中に少なくとも１面の非球面を有することを基本構成としている。
【００１３】
このように構成することで、変倍比の確保に有利となる。また、第１レンズ群が広角端にて像側よりにでき、ズームレンズの小径化に有利となる。
また、望遠端では、第１レンズ群と第２レンズ群にて正−負屈折力配置の望遠タイプのような構成となり、更に第３レンズ群と第４レンズ群でも正−負屈折力配置の望遠タイプのような構成となる。そのため、望遠端でのズームレンズ全長短縮化に有利となる。
さらに、第１レンズ群が非球面を含み、負レンズと正レンズの２枚構成とすることで、第１レンズ群の構成を簡単にしつつ望遠端での色収差の低減、広角端での像面湾曲の低減の両立に有利となる。
上記基本構成にて、以下の構成のいずれか又は複数を同時に満足することが好ましい。
【００１４】
以下の条件式（１）を満足することが好ましい。
０．５＜（ＬTLt／βrear）／ＦLG1＜１．０      （１）
ここで、
ＬTLtは、望遠端におけるズームレンズの最も物体側の屈折面から像面までの光軸上での長さ、
βrearは、望遠端における、第２レンズ群から像面までの合成光学系の横倍率の絶対値、
ＦLG1は、第１レンズ群の焦点距離
である。
【００１５】
条件式（１）の下限値を下回らないようにして第２レンズ群以降の合成光学系の横倍率を抑えることで、第１レンズ群で発生しやすい色収差の拡大を低減しやすくなる。
条件式（１）の上限値を上回らないように第１レンズ群の屈折力を抑えることで広角端での像面湾曲の低減に有利となる。もしくは、望遠端でのズームレンズ全長を抑えられ、ズームレンズの重量バランスの変動の低減等に有利となる。
【００１６】
第１レンズ群は以下の条件式（２）を満足することが好ましい。
０．３＜ＦLG1／ＦLt＜０．５７      （２）
ここで、
ＦLG1は、第１レンズ群の焦点距離、
ＦLtは、望遠端でのズームレンズ全系の焦点距離
である。
【００１７】
条件式（２）の下限値を下回らないようにして第１レンズ群の屈折力を抑えることで、望遠端での軸上及び軸外の色収差を低減しやすくなる。加えて、望遠端での球面収差を低減しやすくなる。
条件式（２）の上限値を上回らないようにして第１レンズ群の屈折力を十分に確保することで、望遠端でのズームレンズ全長を小さくでき、変倍動作における重量バランスの変動も抑えやすくなる。
【００１８】
また、第４レンズ群の像側に正屈折力の第５レンズ群を有し、広角端から望遠端への変倍の際に、第４レンズ群と第５レンズ群との間の距離は変化し、ズームレンズは５群ズームレンズであることが好ましい。
【００１９】
この構成により、ズームレンズ中のレンズ群の屈折力が、物体側から正、負、正、負、正の対称的な配置となる。そのため、広角端から望遠端にかけての収差低減に有利となる。
また、第４レンズ群の負の屈折力を高めても第５レンズ群にて射出瞳を像面から遠ざけることが出来る。さらに、第４レンズ群の負の屈折力を高めることは第１から第３レンズ群の小型化にもつながり好ましい。
【００２０】
また、第１レンズ群が以下の条件式（３）を満足することが好ましい。
０．００４＜ＦLG1／(ＦLt×｜νG1p−νG1n｜)＜０．０２０      （３）
ここで、
ＦLG1は、第１レンズ群の焦点距離、
ＦLtは、望遠端でのズームレンズ全系の焦点距離、
νG1pは、第１レンズ群中の正レンズのアッベ数、
νG1nは、第１レンズ群中の負レンズのアッベ数、
νG1p＝（ｎdp−１）／（ｎFp−ｎCp）、
ｎdpは前記第１レンズ群中の前記正レンズのｄ線における屈折率、
ｎCpは前記第１レンズ群中の前記正レンズのＣ線における屈折率、
ｎFpは前記第１レンズ群中の前記正レンズのＦ線における屈折率、
νG1n＝（ｎdn−１）／（ｎFn−ｎCn）、
ｎdnは前記第１レンズ群中の前記負レンズのｄ線における屈折率、
ｎCnは前記第１レンズ群中の前記負レンズのＣ線における屈折率、
ｎFnは前記第１レンズ群中の前記負レンズのＦ線における屈折率
である。
【００２１】
条件式（３）の下限値を下回らないように、且つ、上限値を上回らないようにすることで、第１レンズ群での倍率色収差の補正に有利となる。第１レンズ群の正屈折力を高めやすくなり、望遠端でのズームレンズ全長の短縮化に有利となる。
条件式（３）の下限を下回らないようにすることで色収差の補正過剰を抑えやすくなる。上限値を上回らないようにすることで色収差の補正に有利となる。
【００２２】
また、第１レンズ群が以下の条件式（４）を満足することが好ましい。
２＜ＦLG1／（ＦLt×｜ＰG1p−ＰG1n｜）＜１０      （４）
ここで、
ＦLG1は、第１レンズ群の焦点距離、
ＦLtは、望遠端でのズームレンズ全系の焦点距離、
ＰG1p＝（ｎgp−ｎFp）／（ｎFp−ｎCp）、
ＰG1n＝（ｎgn−ｎFn）／（ｎFn−ｎCn）、
であり、
ｎgpは、前記第１レンズ群中の前記正レンズのｇ線における屈折率、
ｎFpは、前記第１レンズ群中の前記正レンズのＦ線における屈折率、
ｎCpは、前記第１レンズ群中の前記正レンズのＣ線における屈折率、
ｎgnは、前記第１レンズ群中の前記負レンズのｇ線における屈折率、
ｎFnは、前記第１レンズ群中の前記負レンズのＦ線における屈折率、
ｎCnは、前記第１レンズ群中の前記負レンズのＣ線における屈折率
である。
【００２３】
条件式（４）の下限値を下回らないように、且つ、上限値を上回らないようにすることで、第１レンズ群での２次スペクトルによる倍率色収差の補正に有利となる。第１レンズ群の正屈折力を高めやすくなり、望遠端でのズームレンズ全長の短縮化に有利となる。
条件式（４）の下限値を下回らないようにすることで、正レンズと負レンズにて２次スペクトルをキャンセルしあい、望遠端での２次スペクトルによる倍率色収差を低減しやすくなる。
条件式（４）の上限値を上回らないようにすることで、正レンズと負レンズのアッベ数差又は屈折率差により、他の収差を補正しやすい材料選択となる。
【００２４】
また、第１レンズ群が以下の条件式（５）を満足することが好ましい。
０．０５＜（ＬTLt−ＬTLw）／ＦLt＜０．３０      （５）
ここで、
ＬTLwは、広角端におけるズームレンズの最も物体側の屈折面から像面までの光軸上での長さ、
ＬTLtは、望遠端におけるズームレンズの最も物体側の屈折面から像面までの光軸上での長さ、
ＦLtは、望遠端でのズームレンズ全系の焦点距離
である。
【００２５】
条件式（５）の下限値を下回らないようにして、広角端におけるズームレンズ全長を小さくすることで、第１レンズ群での有効径を小さくでき広角側での像面湾曲の補正に有利となる。
条件式（５）の上限値を上回らないようすることで、望遠端での第１レンズ群よりも像側の合成光学系の横倍率を小さくでき、倍率色収差の低減に有利となる。
【００２６】
また、第１レンズ群は、物体側から像側に順に負レンズ、正レンズからなり、第１レンズ群中の負レンズと正レンズがそれぞれ単レンズであることが好ましい。
これにより、少ないレンズ枚数にて屈折面数を４面にでき、収差の低減を行い易くなる。
【００２７】
更には、負レンズと正レンズとの間の距離は、光軸から離れるに従い大きくなることが好ましい。
これにより、望遠端での倍率色収差の発生を抑えつつ、第１レンズ群の正屈折力を高めやすくなり、ズームレンズ全長の短縮化に有利となる。
【００２８】
また、第１レンズ群中の正レンズが非球面を有し、且つ、物体側面と像側面が共に非球面であることが好ましい。
像面側の非球面の作用により、広角端での像面湾曲の補正に有利となる。物体側面の非球面の作用により、望遠端での球面収差の補正を使用波長全域で行いやすくなる。
【００２９】
また、第４レンズ群は、広角端よりも望遠端にて物体側に位置することが好ましい。
これにより、変倍に伴う像面湾曲の変動の低減に有利となる。
【００３０】
また、第４レンズ群の像側に正屈折力の第５レンズ群を有し、
第５レンズ群は広角端から望遠端への変倍の際に、先ず像側に移動し、且つ、第５レンズ群は広角端よりも望遠端にて像側に位置することが好ましい。
これにより、第５レンズ群に増倍機能を持たせられ、ズームレンズの変倍比の確保に有利となる。特に、広角側にて第５レンズ群に増倍機能を持たせることで、第５レンズ群よりも物体側にて移動するレンズ群の急峻な移動を防ぎ、駆動機構への電力の負荷等を抑えられる。加えて、広角側での変倍時の球面収差の変動も低減しやすくなる。
【００３１】
更には、第５レンズ群は広角端から望遠端への変倍の際に像側にのみ移動することが好ましい。
これにより、第５レンズ群よりも物体側の各レンズ群の変倍負担を軽減できる。広角端から望遠端にかけての像面湾曲の変動、球面収差の変動を抑えやすくなる。
【００３２】
更には、第１レンズ群は広角端から望遠端への変倍の際に物体側にのみ移動することが好ましい。
これにより、広角端での小型化と変倍比の確保に有利となる。
【００３３】
また、遠距離から近距離への合焦の際に、第４レンズ群が像側に移動することが好ましい。
これにより、フォーカシング動作時の撮像面上での大きさ（画角）の変化や収差変動を抑えやすくなる。
【００３４】
第４レンズ群を単レンズとすることが好ましい。
これにより、フォーカシングレンズ群の軽量化につながりフォーカシングを行うための電力低減に有利となる。
【００３５】
また、第４レンズ群を光軸方向とは垂直な方向に移動して、ズームレンズの振動により生じる像の振動を低減させる構成としてもよい。
【００３６】
また、第２レンズ群は広角端よりも望遠端にて像側に位置し、
第３レンズ群は広角端よりも望遠端にて物体側に位置し、
第４レンズ群は広角端よりも望遠端にて第３レンズ群との距離を拡げ且つ第５レンズ群との距離を拡げるように物体側に位置し、
第５レンズ群は広角端よりも望遠端にて像側に位置することが好ましい。
これにより、ズームレンズの変倍比を確保しつつ収差の低減を行いやすくなる。ズームレンズ全体の重量バランスの変動も抑えやすくなる。
【００３７】
また、以下の条件式（６）を満足することが好ましい。
１７＜ＦLt／ＦLw＜５０      （６）
ここで、
ＦLtは、望遠端でのズームレンズ全系の焦点距離、
ＦLwは、広角端でのズームレンズ全系の焦点距離
である。
【００３８】
条件式（６）の下限値を下回らないようにすることで、撮影画角の変化を大きくでき様々な撮影場面に適した画角を選べる。特に超望遠領域の撮影に有利となる。
条件式（６）の上限値を上回らないようにすることで、望遠端でのズームレンズ全長を短縮化した際の明るさの確保に有利となる。
【００３９】
また、本実施形態の撮像装置は、ズームレンズと、ズームレンズにより形成される像を電気信号に変換する撮像素子とを有し、ズームレンズが上述の何れかのズームレンズであることを特徴としている。
【００４０】
この構成により、望遠端撮影時の全長を小さくでき、変倍動作における重量バランスの変動も抑えやすくなる。また、ズーム状態によらず、撮像装置を三脚等に固定したときの安定性向上に有利となる。
【００４１】
本実施形態の撮像装置は、電気信号が入力され、撮像素子に形成された像の歪曲を補正した画像の信号に変換する信号変換部を有することが好ましい。
これにより、広角側での歪曲収差を許容することで広角側での像面湾曲の補正に有利となる。また、歪曲収差の補正を信号処理に委ねることで、小型化、高性能化の両立にいっそう有利となる。
【００４２】
また、ズームレンズがフォーカシング機能を持つ場合は、上述の各構成は光軸上にて最も遠距離への合焦状態での構成とする。
上述の各構成は、複数を同時に満足することが好ましい。
【００４３】
上述の各条件式について、以下のようにすると、効果をより確実にでき好ましい。
条件式（１）については、下限値を０．５５、更には０．６０とすることがより好ましい。また、上限値を０．８５、更には０．８０とすることがより好ましい。
条件式（２）については、下限値を０．３２、更には０．３５とすることがより好ましい。また、上限値を０．５０、更には０．４０とすることがより好ましい。
条件式（３）については、下限値を０．００４５、更には０．００４８とすることがより好ましい。また、上限値を０．０１５、更には０．０１２とすることがより好ましい。
条件式（４）については、下限値を２．５、更には３．０とすることがより好ましい。また、上限値を８．８、更には７．０とすることがより好ましい。
条件式（５）については、下限値を０．０５５、更には０．０６とすることがより好ましい。また、上限値を０．２５、更には０．２０とすることがより好ましい。
条件式（６）については、下限値を１８、更には１９とすることがより好ましい。また、上限値を３０、更には２５とすることがより好ましい。
【実施例】
【００４４】
以下、本発明のズームレンズの実施例１〜８について説明する。実施例１〜８の無限遠物点合焦時の広角端（ａ）、中間焦点距離状態（ｂ）、望遠端（ｃ）のレンズ断面図をそれぞれ図１〜図８に示す。図１〜図８中、第１レンズ群はＧ１、第２レンズ群はＧ２、第３レンズ群はＧ３、第４レンズ群はＧ４、第５レンズ群はＧ５、明るさ（開口）絞りはＳ、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。平行平板Ｆは、ローパスフィルターの機能を持たないようにしてもよい。
【００４５】
また、各実施例において、明るさ絞りＳは第３レンズ群Ｇ３と一体で移動する。数値データはいずれも無限遠の被写体に合焦した状態でのデータである。各数値の長さの単位はｍｍ、角度の単位は°（度）である。フォーカシングはいずれの実施例も第４レンズ群Ｇ４の移動により行う。さらに、ズームデータは広角端（広角）、中間焦点距離状態（中間）、望遠端（望遠）での値である。
合焦動作は、第４レンズ群が像側へ移動して無限遠から至近への合焦動作を行う。また、手振れ補正動作は、第４レンズ群を光軸と垂直方向に移動して行う。
また、広角側にて負の歪曲収差を補正する画像処理を行う。像高が広角端にて小さいのは、そのためである。
【００４６】
実施例１のズームレンズは、図１に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００４７】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。明るさ絞りＳは、物体側へ移動する。
【００４８】
物体側から順に、第１レンズ群Ｇ１は、物体側に凸面を向けた負メニスカスレンズＬ１と、両凸正レンズＬ２と、からなる。第２レンズ群Ｇ２は、両凹負レンズＬ３と、両凹負レンズＬ４と、両凸正レンズＬ５と、像側に凸面を向けた負メニスカスレンズＬ６と、からなる。ここで、両凹負レンズＬ４と両凸正レンズＬ５は互いに接合されている。第３レンズ群Ｇ３は、両凸正レンズＬ７と、物体側に凸面を向けた正メニスカスレンズＬ８と、物体側に凸面を向けた負メニスカスレンズＬ９と、両凸正レンズＬ１０と、からなる。ここで、正メニスカスレンズＬ８と負メニスカスレンズＬ９は互いに接合されている。第４レンズ群Ｇ４は、物体側に凸面を向けた負メニスカスレンズＬ１１からなる。第５レンズ群Ｇ５は、両凸正レンズＬ１２からなる。
【００４９】
非球面は、両凸正レンズＬ２の両面と、両凹負レンズＬ４の物体側の面と、両凸正レンズＬ７の両面と、両凸正レンズＬ１２の像側の面と、の６面に設けられている。
【００５０】
実施例２のズームレンズは、図２に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００５１】
広角端から望遠端への変倍に際して、第１レンズ群Ｇ１は像側へ移動した後に物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。明るさ絞りＳは、物体側へ移動する。
【００５２】
物体側から順に、第１レンズ群Ｇ１は、物体側に凸面を向けた負メニスカスレンズＬ１と、両凸正レンズＬ２と、からなる。第２レンズ群Ｇ２は、両凹負レンズＬ３と、両凹負レンズＬ４と、両凸正レンズＬ５と、からなる。第３レンズ群Ｇ３は、両凸正レンズＬ６と、物体側に凸面を向けた正メニスカスレンズＬ７と、物体側に凸面を向けた負メニスカスレンズＬ８と、両凸正レンズＬ９と、からなる。第４レンズ群Ｇ４は、物体側に凸面を向けた負メニスカスレンズＬ１０からなる。第５レンズ群Ｇ５は、両凸正レンズＬ１１からなる。
【００５３】
非球面は、両凸正レンズＬ２の両面と、両凹負レンズＬ４の物体側の面と、両凸正レンズＬ５の像側の面と、両凸正レンズＬ６の両面と、両凸正レンズＬ９の像側の面と、両凸正レンズＬ１１の像側の面と、の８面に設けられている。
【００５４】
実施例３のズームレンズは、図３に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００５５】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。明るさ絞りＳは、物体側へ移動する。
【００５６】
物体側から順に、第１レンズ群Ｇ１は、物体側に凸面を向けた負メニスカスレンズＬ１と、両凸正レンズＬ２と、からなる。第２レンズ群Ｇ２は、両凹負レンズＬ３と、両凹負レンズＬ４と、両凸正レンズＬ５と、両凹負レンズＬ６と、からなる。第３レンズ群Ｇ３は、両凸正レンズＬ７と、物体側に凸面を向けた正メニスカスレンズＬ８と、物体側に凸面を向けた負メニスカスレンズＬ９と、両凸正レンズＬ１０と、からなる。第４レンズ群Ｇ４は、両凹負レンズＬ１１からなる。第５レンズ群Ｇ５は、両凸正レンズＬ１２からなる。
【００５７】
非球面は、両凸正レンズＬ２の像側の面と、両凹負レンズＬ４の物体側の面と、両凸正レンズＬ７の両面と、両凸正レンズＬ１２の像側の面と、の５面に設けられている。
【００５８】
実施例４のズームレンズは、図４に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００５９】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。明るさ絞りＳは、物体側へ移動する。
【００６０】
物体側から順に、第１レンズ群Ｇ１は、物体側に凸面を向けた負メニスカスレンズＬ１と、両凸正レンズＬ２と、からなる。第２レンズ群Ｇ２は、両凹負レンズＬ３と、両凹負レンズＬ４と、両凸正レンズＬ５と、からなる。第３レンズ群Ｇ３は、両凸正レンズＬ６と、物体側に凸面を向けた負メニスカスレンズＬ７と、両凸正レンズＬ８と、からなる。ここで、負メニスカスレンズＬ７と両凸正レンズＬ８は互いに接合されている。第４レンズ群Ｇ４は、物体側に凸面を向けた負メニスカスレンズＬ９からなる。第５レンズ群Ｇ５は、両凸正レンズＬ１０からなる。
【００６１】
非球面は、負メニスカスレンズＬ１の両面と、両凸正レンズＬ２の両面と、両凹負レンズＬ４の物体側の面と、両凸正レンズＬ６の両面と、両凸正レンズＬ１０の像側の面と、の８面に設けられている。
【００６２】
実施例５のズームレンズは、図５に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００６３】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。明るさ絞りＳは、物体側へ移動する。
【００６４】
物体側から順に、第１レンズ群Ｇ１は、物体側に凸面を向けた負メニスカスレンズＬ１と、両凸正レンズＬ２と、からなる。第２レンズ群Ｇ２は、両凹負レンズＬ３と、両凸正レンズＬ４と、両凹負レンズＬ５と、からなる。第３レンズ群Ｇ３は、両凸正レンズＬ６と、両凸正レンズＬ７と、両凹負レンズＬ８と、両凸正レンズＬ９と、からなる。ここで、両凸正レンズＬ７と両凹負レンズＬ８は互いに接合されている。第４レンズ群Ｇ４は、両凹負レンズＬ１０からなる。第５レンズ群Ｇ５は、像側に凸面を向けた正メニスカスレンズＬ１１からなる。
【００６５】
非球面は、両凸正レンズＬ２の両面と、両凸正レンズＬ４の両面と、両凹負レンズＬ５の両面と、両凸正レンズＬ６の両面と、正メニスカスレンズＬ１１の像側の面と、の９面に設けられている。
【００６６】
実施例６のズームレンズは、図６に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
ここで、仮想物体面（第１面）は不図示である。
【００６７】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。明るさ絞りＳは、物体側へ移動する。
【００６８】
物体側から順に、第１レンズ群Ｇ１は、物体側に凸面を向けた負メニスカスレンズＬ１と、両凸正レンズＬ２と、からなる。第２レンズ群Ｇ２は、両凹負レンズＬ３と、両凹負レンズＬ４と、両凸正レンズＬ５と、からなる。第３レンズ群Ｇ３は、両凸正レンズＬ６と、両凸正レンズＬ７と、両凹負レンズＬ８と、両凸正レンズＬ９と、からなる。ここで、両凸正レンズＬ７と両凹負レンズＬ８は互いに接合されている。第４レンズ群Ｇ４は、両凹負レンズＬ１０からなる。第５レンズ群Ｇ５は、像側に凸面を向けた正メニスカスレンズＬ１１からなる。
【００６９】
非球面は、両凸正レンズＬ２の両面と、両凹負レンズＬ４の物体側の面と、両凸正レンズＬ６の両面と、正メニスカスレンズＬ１１の両面と、の７面に設けられている。
【００７０】
実施例７のズームレンズは、図７に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００７１】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。明るさ絞りＳは、物体側へ移動する。
【００７２】
物体側から順に、第１レンズ群Ｇ１は、物体側に凸面を向けた負メニスカスレンズＬ１と、両凸正レンズＬ２と、からなる。第２レンズ群Ｇ２は、両凹負レンズＬ３と、物体側に凸面を向けた負メニスカスレンズＬ４と、両凸正レンズＬ５と、両凹負レンズＬ６と、からなる。第３レンズ群Ｇ３は、両凸正レンズＬ７と、両凸正レンズＬ８と、両凹負レンズＬ９と、両凸正レンズＬ１０と、からなる。ここで、両凸正レンズＬ８と両凹負レンズＬ９は互いに接合されている。第４レンズ群Ｇ４は、物体側に凸面を向けた負メニスカスレンズＬ１１からなる。第５レンズ群Ｇ５は、像側に凸面を向けた正メニスカスレンズＬ１２からなる。
【００７３】
非球面は、両凸正レンズＬ２の両面と、負メニスカスレンズＬ４の物体側の面と、両凸正レンズＬ７の両面と、正メニスカスレンズＬ１２の両面と、の７面に設けられている。
【００７４】
実施例８のズームレンズは、図８に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００７５】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。明るさ絞りＳは、物体側へ移動する。
【００７６】
物体側から順に、第１レンズ群Ｇ１は、物体側に凸面を向けた負メニスカスレンズＬ１と、両凸正レンズＬ２と、からなる。第２レンズ群Ｇ２は、両凹負レンズＬ３と、両凹負レンズＬ４と、両凸正レンズＬ５と、からなる。第３レンズ群Ｇ３は、両凸正レンズＬ６と、両凸正レンズＬ７と、両凹負レンズＬ８と、両凸正レンズＬ９と、からなる。ここで、両凸正レンズＬ７と両凹負レンズＬ８は互いに接合されている。第４レンズ群Ｇ４は、両凹負レンズＬ１０からなる。第５レンズ群Ｇ５は、両凸正レンズＬ１１からなる。
【００７７】
非球面は、両凸正レンズＬ２の両面と、両凹負レンズＬ４の両面と、両凸正レンズＬ６の両面と、両凸正レンズＬ１１の像側の面と、の７面に設けられている。
【００７８】
以下に、上記各実施例の数値データを示す。記号は上記の外、ｆｂはバックフォーカス、ｆ１、ｆ２…は各レンズ群の焦点距離、ＦＮＯはＦナンバー、ωは半画角、ｒは各レンズ面の曲率半径、ｄは各レンズ面間の間隔、ｎｄは各レンズのｄ線の屈折率、νｄは各レンズのｄ線におけるアッベ数である。レンズ全長は、レンズ最前面からレンズ最終面までの距離にバックフォーカスを加えたものである。バックフォーカスは、レンズ最終面から近軸像面までの距離を空気換算して表したものである。
【００７９】
また、各非球面形状は、各実施例における各非球面係数を用いて、以下の式（Ｉ）で表される。
ここで、光軸方向の座標をＺ、光軸と垂直な方向の座標をＹとする。
Ｚ＝（Ｙ２／ｒ）／［１＋｛１−（１＋ｋ）・（Ｙ／ｒ）２｝１／２］＋Ａ４×Ｙ４＋Ａ６×Ｙ６＋Ａ８×Ｙ８＋Ａ１０×Ｙ１０      （Ｉ）
ここで、
ｒは近軸曲率半径、
ｋは円錐係数、
Ａ4、Ａ6、Ａ8、Ａ10はそれぞれ４次、６次、８次、１０次の非球面係数である。
また、非球面係数において、「ｅ−ｎ」（ｎは整数）は、「１０−ｎ」を示している。
【００８０】
数値実施例１
単位  ｍｍ
面データ
面番号     r          d         nd        νd   
物面       ∞         ∞  
1      28.316      0.70     1.92286    20.88
2      20.781      0.10
3*     17.990      2.80     1.59282    68.63
4*    -72.292      可変  
5     -63.768      0.40     2.00100    29.13
6       9.706      1.75
7*    -40.569      0.40     1.72903    54.04
8      10.060      2.15     1.94595    17.98
9     -64.282      0.60
10     -14.698      0.40     1.88300    40.80
11     -52.918      可変
12(絞り)  ∞        0.20
13*      5.427      1.60     1.59201    67.02
14*    -41.053      0.38
15       7.909      0.81     1.65160    58.55
16       9.194      0.32     2.00069    25.46
17       4.577      0.40
18       8.245      1.20     1.69680    55.53
19     -55.924      可変
20     100.386      0.38     1.65160    58.55
21       5.404      可変
22      89.154      1.92     1.69350    53.21
23*     -9.106      可変
24        ∞        0.30     1.51633    64.14
25        ∞        0.40
26        ∞        0.50     1.51633    64.14
27        ∞        0.53
像面       ∞
（撮像面）
非球面データ
第３面 
K=0.000
A4=-4.85430e-06,A6=3.27528e-08,A8=2.01131e-10  
第４面 
K=0.000
A4=9.58006e-06,A6=5.17154e-08  
第７面 
K=-108.071
A4=-7.36982e-05,A6=4.29192e-06,A8=-4.87693e-08  
第１３面 
K=0.000
A4=-5.33289e-04,A6=-7.06333e-06,A8=-3.68233e-07  
第１４面 
K=0.000
A4=3.43038e-04,A6=-3.34905e-06,A8=1.28017e-07  
第２３面 
K=0.000
A4=6.81915e-04,A6=-9.11597e-06,A8=4.96046e-08  
ズームデータ
広角端      中間    望遠端
焦点距離           4.56     20.88     87.45
ＦＮＯ．           2.98      4.93      6.97
画角２ω          81.46     19.21      4.92
像高               3.40      3.86      3.86
fb (in air)        4.76      3.94      1.86
全長 (in air)     45.57     50.94     58.97
d4           0.35     10.81     20.40  
d11         18.31      5.88      0.10  
d19          1.90      4.21      4.13  
d21          3.73      9.58     15.96  
d23          3.30      2.48      0.40  
群焦点距離
f1=34.35   f2=-6.44   f3=7.73   f4=-8.78   f5=12.01   
【００８１】
数値実施例２
単位  ｍｍ
面データ
面番号     r          d         nd        νd   
物面       ∞         ∞  
1      23.596      0.50     2.00170    20.60
2      16.496      0.10
3*     14.964      3.10     1.72916    54.68
4*   -582.501      可変  
5    -127.826      0.28     1.88300    40.76
6       6.336      2.40
7*    -12.366      0.44     1.74320    49.34
8      13.831      0.05
9      11.670      1.70     1.94595    17.98
10*   -182.398      可変
11(絞り)  ∞        0.66
12*      6.065      1.64     1.58313    59.38
13*    -37.023      0.30
14      16.940      1.00     1.58313    59.38
15      88.444      0.10
16     102.253      0.30     1.90366    34.00
17       4.820      0.10
18       5.142      1.87     1.58313    59.38
19*    -15.863      可変
20  362039.377      0.50     1.53110    55.91
21       5.257      可変
22     141.877      2.50     1.53110    55.91
23*     -6.454      可変
24        ∞        0.30     1.51633    64.14
25        ∞        0.40
26        ∞        0.50     1.51633    64.14
27        ∞        0.53
像面       ∞
（撮像面）
非球面データ
第３面 
K=0.000
A4=-5.30273e-06,A6=-4.71943e-08,A8=-8.92165e-11  
第４面 
K=0.000
A4=6.58637e-06,A6=-3.13826e-08,A8=1.81998e-10  
第７面 
K=0.000
A4=1.82460e-04,A6=4.29807e-06,A8=-2.37813e-08  
第１０面 
K=0.000
A4=6.54830e-05,A6=1.88605e-06  
第１２面 
K=0.000
A4=-2.32743e-04,A6=1.71429e-06,A8=-9.76141e-08,A10=1.87507e-08  
第１３面 
K=0.000
A4=3.86750e-04,A6=-6.12440e-07,A8=1.67085e-07,A10=8.65302e-09  
第１９面 
K=0.000
A4=1.59977e-04,A6=7.15466e-06  
第２３面 
K=0.000
A4=1.00416e-03,A6=-1.31391e-06,A8=-3.62695e-07,A10=1.41161e-08  
ズームデータ
広角端      中間    望遠端
焦点距離           4.37     18.81     84.77
ＦＮＯ．           3.11      4.36      6.69
画角２ω          82.85     21.55      5.14
像高               3.39      3.86      3.86
fb (in air)        5.22      4.61      2.52
全長 (in air)     54.59     54.12     61.02
d4           0.45     10.27     18.02  
d10         22.12      7.08      0.54  
d19          2.45      7.19     10.72  
d21          6.79      7.42     11.66  
d23          3.77      3.15      1.07  
群焦点距離
f1=31.40   f2=-5.56    f3=9.07   f4=-9.90   f5=11.69   
【００８２】
数値実施例３
単位  ｍｍ
面データ
面番号     r          d         nd        νd   
物面       ∞         ∞  
1      18.295      0.70     1.94595    17.98
2      15.851      0.10
3      15.851      3.20     1.49700    81.54
4*    -71.909      可変
5     -56.757      0.30     1.88300    40.76
6       6.602      2.30
7*    -40.246      0.40     1.74320    49.34
8      25.058      0.10
9      12.886      1.50     1.94595    17.98
10    -547.191      0.35
11     -29.955      0.30     1.83481    42.71
12      75.965      可変
13(絞り)  ∞        0.00
14*      4.867      1.60     1.58313    59.38
15*    -27.904      0.30
16      17.068      0.90     1.61881    63.85
17    2236.619      0.00
18    2236.619      0.30     1.91082    35.25
19       4.074      0.20
20       4.719      1.49     1.58313    59.38
21     -13.320      可変
22   -2972.620      0.40     1.74320    49.34
23       5.590      可変
24      60.000      2.20     1.74320    49.34
25*     -9.500      可変
26        ∞        0.30     1.51633    64.14
27        ∞        0.40
28        ∞        0.50     1.51633    64.14
29        ∞        0.53
像面       ∞
（撮像面）
非球面データ
第４面 
K=0.000
A4=1.87035e-05,A6=-2.10391e-08,A8=5.48618e-13  
第７面 
K=0.000
A4=1.81191e-04,A6=-1.66031e-06,A8=1.65462e-07  
第１４面 
K=0.000
A4=-4.11881e-04,A6=6.21513e-07,A8=1.02195e-07,A10=-3.38270e-08  
第１５面 
K=0.000
A4=8.41667e-04,A6=-1.83259e-21  
第２５面 
K=0.000
A4=4.96859e-04,A6=-7.38374e-06,A8=8.49509e-08,A10=-7.26513e-28  
ズームデータ
広角端      中間    望遠端
焦点距離           4.44     18.81     84.77
ＦＮＯ．           3.62      6.05      7.02
画角２ω          82.33     21.40      4.91
像高               3.39      3.86      3.86
fb (in air)        4.73      4.65      4.62
全長 (in air)     46.21     50.88     59.97
d4           0.30      8.85     20.35  
d12         18.92      6.64      0.30  
d21          3.10      5.74      5.24  
d23          2.52      8.36     12.82  
d25          3.28      3.19      3.17  
群焦点距離
f1=32.93   f2=-5.90   f3=8.06   f4=-7.51   f5=11.19   
【００８３】
数値実施例４
単位  ｍｍ
面データ
面番号     r          d         nd        νd   
物面       ∞         ∞  
1*     36.630      0.80     1.63493    23.90
2*     20.718      0.10
3*     19.512      4.24     1.53110    55.91
4*    -74.795      可変
5     -85.585      0.40     2.00100    29.13
6       7.876      2.59
7*     -9.437      0.45     1.53110    55.91
8      20.186      0.16
9      19.510      1.62     1.94595    17.98
10     -36.109      可変
11(絞り)  ∞        0.66
12*      6.526      2.08     1.58313    59.38
13*    -32.693      1.32
14      12.419      0.43     1.90366    31.32
15       4.456      3.06     1.48749    70.23
16     -20.011      可変
17      48.103      0.40     1.53110    55.91
18       5.768      可変
19     106.839      2.06     1.53110    55.91
20*     -9.631      可変
21        ∞        0.30     1.51633    64.14
22        ∞        0.40
23        ∞        0.50     1.51633    64.14
24        ∞        0.53
像面       ∞
（撮像面）
非球面データ
第１面 
K=0.000
A4=2.10454e-06,A6=-4.39811e-08,A8=-3.52996e-10  
第２面 
K=0.000
A4=-1.19227e-05,A6=-5.88991e-09,A8=-5.42899e-10  
第３面 
K=0.000
A4=-2.33415e-05,A6=2.00844e-08,A8=-2.04114e-10  
第４面 
K=0.000
A4=-6.95768e-07,A6=-2.14934e-08,A8=-3.00803e-11  
第７面 
K=0.000
A4=1.34479e-04,A6=3.28040e-06,A8=-7.12919e-08  
第１２面 
K=0.000
A4=-3.37024e-04,A6=9.95054e-06,A8=-1.33615e-06,A10=5.24597e-08  
第１３面 
K=0.000
A4=2.53182e-04,A6=1.40851e-05,A8=-1.72563e-06,A10=7.58000e-08  
第２０面 
K=0.000
A4=4.46336e-04,A6=1.52757e-05,A8=-1.30553e-06,A10=2.48676e-08  
ズームデータ
広角端      中間    望遠端
焦点距離           4.55     20.95     87.43
ＦＮＯ．           2.80      4.97      6.61
画角２ω          81.77     19.76      4.88
像高               3.39      3.86      3.86
fb (in air)        5.43      3.34      2.57
全長 (in air)     51.22     62.22     76.53
d4           0.45     15.30     30.32  
d10         20.11      6.95      0.54  
d16          2.00      4.49      5.73  
d18          2.86     11.78     17.00  
d20          3.98      1.88      1.11  
群焦点距離
f1=48.20   f2=-7.15   f3=9.46   f4=-12.38   f5=16.74   
【００８４】
数値実施例５
単位  ｍｍ
面データ
面番号     r          d         nd        νd   
物面       ∞         ∞  
1      16.404      0.80     1.80810    22.76
2      14.066      0.10
3*     12.768      3.71     1.43875    94.93
4*    -94.494      可変  
5   -1187.563      0.40     2.00100    29.13
6       6.542      3.00
7*     92.576      1.80     2.10300    18.05
8*    -15.441      0.19
9*    -10.497      0.40     1.72903    54.04
10*     66.198      可変
11(絞り)  ∞        0.66
12*      5.393      1.53     1.61881    63.85
13*    -26.412      0.83
14      16.838      1.00     1.58267    46.42
15     -81.020      0.40     1.91082    35.25
16       3.923      0.12
17       4.201      1.79     1.51633    64.14
18      -9.498      可変
19     -17.541      0.40     1.72916    54.68
20       6.839      可変
21    -870.491      1.98     1.74320    49.29
22*     -8.469      可変
23        ∞        0.30     1.51633    64.14
24        ∞        0.40
25        ∞        0.50     1.51633    64.14
26        ∞        0.53
像面       ∞
（撮像面）
非球面データ
第３面 
K=-0.050
A4=-2.18258e-05,A6=-2.42987e-08  
第４面 
K=0.000
A4=1.68062e-06,A6=9.96269e-08  
第７面 
K=0.000
A4=-2.14200e-04,A6=-1.33123e-05  
第８面 
K=0.000
A4=-4.55648e-04,A6=-5.03409e-06  
第９面 
K=-0.346
A4=2.65954e-04,A6=-1.38245e-05  
第１０面 
K=0.000
A4=3.63978e-04,A6=-2.40843e-05  
第１２面 
K=0.032
A4=-3.72331e-04,A6=-1.62761e-05,A8=5.32199e-07  
第１３面 
K=0.000
A4=6.57111e-04,A6=-2.04252e-05,A8=9.69213e-07  
第２２面 
K=0.146
A4=5.00654e-04,A6=-1.67500e-06  
ズームデータ
広角端      中間    望遠端
焦点距離           4.55     20.00     87.83
ＦＮＯ．           3.81      6.40      6.95
画角２ω          81.12     20.95      4.94
像高               3.39      3.86      3.86
fb (in air)        4.26      3.69      2.45
全長 (in air)     49.70     52.05     55.72
d4           0.12      9.03     19.88  
d10         21.62      7.73      0.14  
d18          3.09      4.80      3.31  
d20          1.50      7.68     10.83  
d22          2.81      2.23      1.00  
群焦点距離
f1=32.33   f2=-6.60   f3=8.44   f4=-6.70   f5=11.50   
【００８５】
数値実施例６
単位  ｍｍ
面データ
面番号     r          d         nd        νd   
物面       ∞         ∞  
1        ∞        0.00
2      23.150      0.80     1.80810    22.76
3      17.932      0.10
4*     14.372      4.10     1.49700    81.54
5*   -139.631      可変
6   -1627.983      0.39     1.88300    40.80
7       6.623      3.03
8*    -15.325      0.40     1.74320    49.29
9      18.414      0.09
10      15.353      1.90     1.94595    17.98
11     -91.881      可変
12(絞り)  ∞        1.00
13*      6.731      2.30     1.59201    67.02
14*    -26.537      0.10
15       7.961      1.94     1.57135    52.95
16     -14.641      0.30     1.91082    35.25
17       5.518      0.53
18      12.864      1.40     1.53110    55.91
19     -20.728      可変
20     -12.751      0.35     1.53110    55.91
21      25.974      可変
22*   -422.120      2.31     1.53110    55.91
23*     -7.273      可変
24        ∞        0.30     1.51633    64.14
25        ∞        0.40
26        ∞        0.50     1.51633    64.14
27        ∞        0.53
像面       ∞
（撮像面）
非球面データ
第４面 
K=0.000
A4=-2.08123e-05,A6=-3.05414e-08  
第５面 
K=0.000
A4=-2.31823e-06,A6=8.57958e-08  
第８面 
K=0.000
A4=9.29998e-05,A6=1.48758e-06  
第１３面 
K=0.000
A4=-1.95212e-04,A6=-3.30607e-06,A8=6.34341e-08  
第１４面 
K=0.000
A4=1.24066e-04,A6=-2.21634e-06,A8=1.70957e-07  
第２２面 
K=0.000
A4=-4.38005e-04,A6=1.28908e-05  
第２３面 
K=0.000
A4=1.62365e-04,A6=1.53461e-05  
ズームデータ
広角端      中間    望遠端
焦点距離           4.56     21.80    113.66
ＦＮＯ．           2.67      4.43      7.08
画角２ω          81.81     19.45      3.95
像高               3.44      3.86      3.86
fb (in air)        7.91      5.67      2.36
全長 (in air)     55.65     61.61     69.99
d5           0.27     11.78     21.30  
d11         22.18      7.83      0.10  
d19          2.12     10.42     12.61  
d21          2.12      4.86     12.57  
d23          6.46      4.21      0.90  
群焦点距離
f1=35.86   f2=-6.55   f3=11.25   f4=-16.05   f5=13.91   
【００８６】
数値実施例７
単位  ｍｍ
面データ
面番号     r          d         nd        νd   
物面       ∞         ∞  
1      50.628      0.70     1.91082    35.25
2      21.986      0.10
3*     15.690      4.10     1.55087    71.79
4*    -41.939      可変
5     -32.010      0.39     1.88300    40.76
6       6.924      1.53
7*     36.748      0.40     1.74320    49.29
8      12.347      0.10
9      11.062      1.95     1.94595    17.98
10   -4083.155      0.50
11     -21.333      0.41     1.83481    42.71
12     191.160      可変
13(絞り)  ∞        0.20
14*      6.121      2.06     1.67790    54.89
15*    -26.116      0.04
16       9.978      1.69     1.52249    59.84
17      -8.574      0.38     1.91082    35.25
18       5.449      0.27
19       7.954      1.56     1.53110    55.91
20     -10.220      可変
21      98.285      0.36     1.53110    55.91
22       4.892      可変
23*   -544.817      2.45     1.53110    55.91
24*     -6.977      可変
25        ∞        0.30     1.51633    64.14
26        ∞        0.40
27        ∞        0.50     1.51633    64.14
28        ∞        0.53
像面       ∞
（撮像面）
非球面データ
第３面 
K=0.000
A4=-2.33331e-05,A6=-8.82086e-08,A8=-3.79850e-10  
第４面 
K=0.000
A4=5.65699e-06,A6=-3.83298e-08  
第７面 
K=0.000
A4=3.44232e-04,A6=1.57622e-06,A8=1.91155e-07  
第１４面 
K=0.000
A4=-2.33678e-04,A6=1.09430e-06,A8=-7.33405e-09  
第１５面 
K=0.000
A4=2.47542e-04,A6=-2.25993e-07  
第２３面 
K=0.000
A4=-1.94039e-04,A6=-6.12963e-06  
第２４面 
K=-2.234
A4=-5.41577e-04,A6=-2.49015e-06,A8=-1.59781e-07  
ズームデータ
広角端      中間    望遠端
焦点距離           4.55     21.72    113.65
ＦＮＯ．           3.25      5.46      7.15
画角２ω          81.13     19.04      3.86
像高               3.40      3.86      3.86
fb (in air)        5.97      6.38      2.56
全長 (in air)     51.53     60.29     68.29
d4           0.45     13.14     27.39  
d12         20.77      6.87      0.10  
d20          2.15      6.40      8.53  
d22          3.00      8.32     10.52  
d24          4.51      4.92      1.10  
群焦点距離
f1=40.87   f2=-6.28   f3=8.94   f4=-9.71   f5=13.29   
【００８７】
数値実施例８
単位  ｍｍ
面データ
面番号     r          d         nd        νd   
物面       ∞         ∞  
1      24.128      1.00     1.90366    31.32
2      18.091      0.10
3*     16.314      3.90     1.49700    81.54
4*   -103.977      可変  
5    -148.933      0.50     2.00100    29.13
6       6.961      2.46
7*    -10.446      0.50     1.72903    54.04
8*    127.312      0.14
9      27.188      1.99     1.94595    17.98
10     -24.426      可変
11(絞り)  ∞        0.66
12*      6.246      2.20     1.58313    59.38
13*    -25.432      0.32
14      12.829      1.64     1.58913    61.14
15     -68.791      0.50     1.91082    35.25
16       4.508      0.13
17       4.806      2.29     1.51633    64.14
18     -11.910      可変
19     -43.457      0.52     1.53110    55.91
20       5.682      可変
21     106.839      2.35     1.53110    55.91
22*     -9.301      可変
23        ∞        0.30     1.51633    64.14
24        ∞        0.40
25        ∞        0.50     1.51633    64.14
26        ∞        0.53
像面       ∞
（撮像面）
非球面データ
第３面 
K=0.000
A4=-9.99155e-06,A6=2.07988e-09  
第４面 
K=0.000
A4=-5.70393e-07,A6=3.98849e-08  
第７面 
K=0.000
A4=-4.46296e-05,A6=1.37943e-06  
第８面 
K=0.000
A4=-1.23087e-04,A6=1.74020e-06  
第１２面 
K=0.000
A4=-2.91745e-04,A6=-4.15026e-07,A8=3.94390e-09  
第１３面 
K=0.000
A4=4.23024e-04,A6=6.65256e-07,A8=3.11395e-08  
第２２面 
K=0.000
A4=3.90756e-04,A6=-4.28271e-06  
ズームデータ
広角端      中間    望遠端
焦点距離           4.55     19.86     87.83
ＦＮＯ．           3.07      5.13      6.72
画角２ω          81.82     21.08      4.94
像高               3.39      3.86      3.86
fb (in air)        5.55      4.04      2.44
全長 (in air)     52.46     58.20     69.69
d4           0.34     12.88     27.24  
d10         21.76      6.96      0.10  
d18          2.09      4.47      4.86  
d20          1.50      8.64     13.84  
d22          4.11      2.60      1.00  
群焦点距離
f1=43.77   f2=-7.25   f3=9.13   f4=-9.43   f5=16.22   
【００８８】
以上の実施例１〜８の無限遠物点合焦時の収差図をそれぞれ図９〜図１６に示す。これらの収差図において、（ａ）〜（ｄ）は広角端、（ｅ）〜（ｈ）は中間焦点距離状態、（ｉ）〜（ｌ）は望遠端における、球面収差（ＳＡ）、非点収差（ＡＳ）、歪曲収差（ＤＴ）、倍率色収差（ＣＣ）を示す。各図中、 “ω”は半画角を示す。
【００８９】
次に、各実施例における条件式の値を掲げる。
条件式  実施例１ 実施例２ 実施例３ 実施例４
(１)    0.678    0.723    0.711    0.878
(２)    0.393    0.370    0.388    0.551
(３)    0.008    0.011    0.006    0.017
(４)    4.732    4.161    3.317    6.561
(５)    0.153    0.076    0.162    0.289
(６)   19.19    19.42    19.11    19.21 
条件式  実施例５ 実施例６ 実施例７ 実施例８
(１)    0.638    0.618    0.603    0.797 
(２)    0.368    0.315    0.360    0.498
(３)    0.005    0.005    0.010    0.010 
(４)    3.810    3.382    8.323    8.701 
(５)    0.069    0.126    0.147    0.196 
(６)   19.30    24.94    24.96    19.30 
LTLw     LTLt   βrear    FLG1     FLW     FLt     νG1n   νG1p
実施例１  45.842   59.242   2.545   34.347   4.555   87.430   20.88   68.63 
実施例２  54.861   61.289   2.699   31.404   4.366   84.771   20.60   54.68 
実施例３  46.483   60.239   2.574   32.933   4.436   84.770   17.98   81.54 
実施例４  51.490   76.801   1.814   48.200   4.551   87.441   23.90   55.91 
実施例５  49.975   56.000   2.716   32.334   4.551   87.830   22.76   94.93 
実施例６  55.923   70.261   3.170   35.859   4.558  113.659   22.76   81.54 
実施例７  51.803   68.561   2.781   40.870   4.553  113.660   35.25   71.79
実施例８  52.742   69.980   2.007   43.766   4.551   87.827   31.32   81.54 
nCn      nFn      ngn      PG1n     nCp      nFp      ngp      PG1p
実施例１  1.9103   1.9545   1.9823   0.6282   1.5902   1.5988   1.6035   0.5452
実施例２  1.9880   2.0365   2.0673   0.6335   1.7251   1.7384   1.7457   0.5444
実施例３  1.9312   1.9838   2.0183   0.6544   1.4951   1.5012   1.5045   0.5373
実施例４  1.6274   1.6540   1.6708   0.6334   1.5282   1.5377   1.5429   0.5494
実施例５  1.7980   1.8335   1.8559   0.6306   1.4373   1.4420   1.4444   0.5340
実施例６  1.7980   1.8335   1.8559   0.6306   1.4951   1.5012   1.5045   0.5373
実施例７  1.9032   1.9291   1.9441   0.5822   1.5485   1.5562   1.5603   0.5390
実施例８  1.8953   1.9241   1.9413   0.5946   1.4951   1.5012   1.5045   0.5373
【００９０】
図１７は、本発明のズームレンズを用い、撮像素子として小型のＣＣＤ又はＣＭＯＳなどを用いた撮像装置としてのコンパクトカメラ１の断面図である。コンパクトカメラ１の鏡筒内には撮像レンズ系２が配置され、ボディには、撮像素子面４、バックモニタ５が配置されている。
ここで、鏡筒にマウント部を設けて、撮像レンズ系２を一眼ミラーレスカメラのボディに対して着脱可能とすることもできる。このマウント部は、例えばスクリュータイプやバヨネットタイプ等のマウントを用いる。
【００９１】
このような構成のコンパクトカメラ１の撮像レンズ系２として、例えば上記実施例１〜８に示した本発明のズームレンズが用いられる。
【００９２】
図１８、図１９は、ズームレンズを撮影光学系４１に組み込んだ、本発明に係る撮像装置の構成の概念図を示す。図１８は撮像装置としてのデジタルカメラ４０の外観を示す前方斜視図、図１９は同後方斜視図である。
【００９３】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【００９４】
（内部回路構成）
図２０は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部等で構成される。
【００９５】
図２０に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【００９６】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【００９７】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【００９８】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【００９９】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１００】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１０１】
記録媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１０２】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１０３】
このように構成されたデジタルカメラ４０は、撮影光学系４１として本発明のズームレンズを採用することで、ズーミングが可能であり、かつ、無限遠を含むフォーカシングを可能とする第１のモードと大きい撮影倍率を得ることを可能とする第２のモードとが設定可能であって、小型化と高性能化の両立に有利な撮像装置とすることが可能となる。
【産業上の利用可能性】
【０１０４】
以上のように、本発明にかかるズームレンズは、高変倍比を有しながらズームレンズの全長を小さくし、変倍動作における重量バランスを抑える場合に有用である。
【符号の説明】
【０１０５】
Ｇ１…第１レンズ群
Ｇ２…第２レンズ群
Ｇ３…第３レンズ群
Ｇ４…第４レンズ群
Ｇ５…第５レンズ群
Ｓ…明るさ絞り
Ｆ…フィルター
Ｃ…カバーガラス
Ｉ…像面
１…コンパクトカメラ
２…撮像レンズ系
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
2014095754.tif 000003
【図２】
2014095754.tif 000004
【図３】
2014095754.tif 000005
【図４】
2014095754.tif 000006
【図５】
2014095754.tif 000007
【図６】
2014095754.tif 000008
【図７】
2014095754.tif 000009
【図８】
2014095754.tif 000010
【図９】
2014095754.tif 000011
【図１０】
2014095754.tif 000012
【図１１】
2014095754.tif 000013
【図１２】
2014095754.tif 000014
【図１３】
2014095754.tif 000015
【図１４】
2014095754.tif 000016
【図１５】
2014095754.tif 000017
【図１６】
2014095754.tif 000018
【図１７】
2014095754.tif 000019
【図１８】
2014095754.tif 000020
【図１９】
2014095754.tif 000021
【図２０】
2014095754.tif 000022